(57)【要約】【課題】安価な構成で小入力電源回路の高調波電流を抑制しつつ、抵抗器にて消費されるロスを極力軽減する。【解決手段】室外機側に室内機の入力電流を検出する負荷電流検出手段９と負荷電流検出手段にて検出された負荷電流値を認識する室外制御部１１を備え、室内機側に入力電流を抵抗器６を通じて整流回路２で整流した後、平滑コンデンサ３にて平滑して負荷５側へ出力するコンデンサインプット型の電源回路と、抵抗器と並列に開閉手段７とこの開閉手段を駆動させる室内制御部８を備え、負荷電流検出手段９にて検出された負荷電流値が所定値以上になると開閉手段７を開状態にすることで、開閉手段が閉状態時に抵抗器にて発生する無効電力を軽減させ、また抵抗器と平滑コンデンサの時定数により入力電流の通流期間を増幅させて力率を改善し高調波電流を抑制することが出来る。【選択図】図１
2007101142.tif 000002
【特許請求の範囲】
【請求項１】
複数の室内機と室外機から構成されるマルチ式の空気調和機において、前記室外機側に前記室内機の入力電流を検出する負荷電流検出手段と負荷電流検出手段にて検出された負荷電流値を認識する室外制御部と、前記室内機側に入力電流を抵抗器を通じて整流回路で整流した後平滑コンデンサにて平滑して負荷側へ出力するコンデンサインプット型の電源回路と、前記抵抗器と並列に開閉手段と該開閉手段を駆動させる室内制御部を備え、前記負荷電流検出手段にて検出された負荷電流値が所定値以上になると前記開閉手段を開状態とすることを特徴とする空気調和機の制御装置。
【請求項２】
負荷電流検出手段はカレントトランスフォーマーから構成されることを特徴する請求項１に記載の空気調和機の制御装置。
【発明の詳細な説明】
【技術分野】
【０００１】
本発明は交流電源からの入力電流をダイオードブリッジ等の整流回路で整流した後、平滑コンデンサで平滑して、ＤＣ−ＤＣコンバーターやインバーターなどの負荷側へ出力する、いわゆるコンデンサインプット型の電源回路を有する空気調和機の制御装置に関するものである。
【背景技術】
【０００２】
従来の発明は図４に示すように、交流電源１からの入力電流を抵抗器６を通じて整流回路２で整流した後、平滑コンデンサ３にて平滑して負荷側５へ出力する。抵抗器６と並列に開閉手段７と開閉手段７を駆動させる駆動手段８と負荷電流を検出する負荷電流検出手段９を備え、負荷電流検出手段９にて検出された負荷電流が所定値以上になると開閉手段７を開状態にすることで、所定値以下での抵抗器６にて消費される無効電力を軽減しつつ、抵抗器６と平滑コンデンサ３の時定数により入力電流の通流期間を増幅させ、力率を改善し高調波電流を抑制することが出来る。
【特許文献１】特開２００５−２０４３７８号公報
【発明の開示】
【発明が解決しようとする課題】
【０００３】
しかしながら。上述のような制御装置では、複数の小入力電源回路を有するマルチ式の空気調和機などの場合は、それぞれの電源回路に負荷電流検出手段が必要となり部品面積の拡大やコストアップにつながる。本発明は前記従来の課題を解決するもので、その目的とするところは、さらに簡素な構成を安価で実現し、抵抗器にて消費される無効電力を極力軽減し、かつ高調波電流を抑制することを実現できる制御装置を提供することである。
【課題を解決するための手段】
【０００４】
前記従来の課題を解決する為に本発明は、複数の室内機と室外機から構成されるマルチ式の空気調和機において、前記室外機側に前記室内機の入力電流を検出する負荷電流検出手段と負荷電流検出手段にて検出された負荷電流値を認識する室外制御部を備え、前記室内機側に入力電流を抵抗器を通じて整流回路で整流した後、平滑コンデンサにて平滑して負荷側へ出力するコンデンサインプット型の電源回路と、前記抵抗器と並列に開閉手段と前記開閉手段を駆動させる室内制御部備え、前記負荷電流検出手段にて検出された負荷電流値が所定値以上になると前記開閉手段を開状態とする構成としたものである。
【発明の効果】
【０００５】
本発明の制御装置は、負荷電流の検出を室外機側の一箇所で検出することでさらに安価な構成で高調波電流を抑制しつつ、抵抗器にて消費されるロスを極力軽減することが出来る。
【発明を実施するための最良の形態】
【０００６】
第一の発明は、複数の室内機と室外機から構成されるマルチ式の空気調和機において、前記室外機側に前記室内機の入力電流を検出する負荷電流検出手段と負荷電流検出手段にて検出された負荷電流値を認識する室外制御部を備え、前記室内機側に入力電流を抵抗器を通じて整流回路で整流した後、平滑コンデンサにて平滑して負荷側へ出力するコンデンサインプット型の電源回路と、前記抵抗器と並列に開閉手段と前記開閉手段を駆動させる室内制御部備え、前記負荷電流検出手段にて検出された負荷電流値が所定値以上になると前記開閉手段を開状態にすることで、開閉手段が閉状態時に抵抗器にて発生する無効電力を軽減させ、また抵抗器と平滑コンデンサの時定数により入力電流の通流期間を増加させ
て力率を改善し高調波電流を抑制することが出来る。
【０００７】
第二の発明は負荷電流値を正確に検出するものとしてカレントトランスフォーマーを用いる。
【０００８】
以下、本発明の実施の形態について、図面を参照しながら説明する。なお、この実施の形態によって本発明が限定されるものではない。
【０００９】
（実施の形態１）
図１は本発明の第１の実施の形態における制御装置の構成を示す回路図である。図１において図４と同じ構成要素については、同じ符号を用い、説明を省略する。商用交流電源１からの交流電流は、室外機側に設けられた負荷電流検出手段９を通じ、各室内機側にある抵抗器６、６´を通じてダイオードブリッジからなる整流回路２、２´において全波整流された後、平滑コンデンサ３、３´で平滑化されて負荷５側へ供給される。また抵抗器６、６´と並列に開閉手段７、７´を備え、開閉手段７、７´を駆動させる室内機制御部８、８´を備え、室外機には負荷電流検出手段９によって検出された負荷電流値を認識する室外機制御部１０を備え室外機制御部１０は室内機制御部８，８´と常時情報の伝達を行っている。
【００１０】
以上のように構成された制御装置について、以下その動作、作用を説明する。
【００１１】
本発明は負荷電流検出手段９にて検出された負荷電流が所定値（ｔ１）以上になると室外機制御部１０にて負荷電流値を認識し、室内機制御部８、８´へ情報伝達を行って、室内機制御部８，８´から制御信号を出し開閉手段７、７´を開状態とすることで抵抗器６、６´と平滑コンデンサ３、３´の時定数により入力電流の通流期間を増加させて力率を改善し高調波電流を抑制することが出来る。
【００１２】
例えば、本発明の電気回路図図１の交流電源１の電源電圧を２３０Ｖ、平滑コンデンサ３、３´の静電容量を６８μＦ、抵抗器６、６´の抵抗値を１Ω（開閉手段７、７´側）、１５Ω（抵抗器６、６´側）とした時、実験的な値から第９次高調波電流は図３のようなグラフになる。第９次高調波は実験的な値から、７〜８Ａ付近までをピークとして比例に近いカーブを描いて高調波電流が増幅する傾向があり、規格値にたいして最もマージンが少なくなる。図３から負荷電流が所定値（ｔ１）になった時、開閉手段７、７´を開状態とし、抵抗器６、６´側（１５Ω）へ電流を通すことで、第９次高調波電流が減少することが分かる。また、図２の所定値（ｔ１）以下の領域では、入力電流が抵抗器６、６´を通じることがない為、抵抗器６、６´にて生じるロスがなく、無効電力の軽減が可能となることが分かる。
【００１３】
また負荷電流の検出方法としては、例えば、負荷電流の電流値を正確に２次側の室外制御部１０へ伝えるものとしてはカレントトランスフォーマーなどを用いる。
【産業上の利用可能性】
【００１４】
以上のように本発明にかかる制御装置は高調波電流を抑制しつつ、抵抗器にて消費される無効電力の軽減が可能となるので、小入力電流回路の必要な送風機などにも適用できる。
【図面の簡単な説明】
【００１５】
【図１】本発明の実施の形態１における電気回路図
【図２】本発明の実施の形態１における無力電力を示すグラフ
【図３】本発明の実施の形態１における負荷電流と抵抗値に対しての第９次高調波電流を示すグラフ
【図４】従来技術における電気回路図
【符号の説明】
【００１６】
１  交流電源
２（２´）  整流回路
３（３´）  平滑コンデンサ
４（４´）  コンバーター
５（５´）  負荷
６（６´）  抵抗器
７（７´）  開閉手段
８（８´）  室内機制御部
９  負荷電流検出手段
１０  室外機制御部
１１  室外制御装置
【図１】
2007101142.tif 000003
【図２】
2007101142.tif 000004
【図３】
2007101142.tif 000005
【図４】
2007101142.tif 000006